(57)【要約】【課題】新規な構成の表示システム、および移動体を提供すること。【解決手段】表示パネルと、補正回路と、記憶回路と、を有する表示システムとする。表示パネルは、可撓性を有する。表示パネルは、表示領域および非表示領域を有する。記憶回路は、表示領域に関する第１の情報および非表示領域に関する第２の情報を記憶する機能を有する。非表示領域は、表示パネルを折り曲げることで表示領域と重なる領域を有する。補正回路は、第１の情報および第２の情報に基づいて表示領域の画素に書き込むための画像データを生成する機能を有する。【選択図】図３
2022001940.tif 000002
【特許請求の範囲】
【請求項１】
表示パネルと、補正回路と、記憶回路と、を有し、
前記表示パネルは、可撓性を有し、
前記表示パネルは、表示領域および非表示領域を有し、
前記記憶回路は、前記表示領域に関する第１の情報および前記非表示領域に関する第２の情報を記憶する機能を有し、
前記非表示領域は、前記表示パネルを折り曲げることで前記表示領域と重なる領域を有し、
前記補正回路は、前記第１の情報および前記第２の情報に基づいて前記表示領域の画素に書き込むための画像データを生成する機能を有する表示システム。
【発明の詳細な説明】
【技術分野】
【０００１】
本発明の一態様は、表示システムおよび移動体に関する。特に、湾曲した表示面を有す
る表示パネルを備えた表示システム、およびフレキシブルな表示パネルを備えた移動体に
関する。
【背景技術】
【０００２】
有機ＥＬ（Ｅｌｅｃｔｒｏ  Ｌｕｍｉｎｅｓｃｅｎｃｅ）素子を有する曲面ディスプレ
イが提案されている（例えば、特許文献１）。なお曲面ディスプレイは、湾曲した表示面
を有するディスプレイのことをいう。
【０００３】
曲面ディスプレイは、車両などの移動体のインストルメントパネル（以下、インパネと
略記する場合がある）に適用することでデザイン性を向上できることが期待されている（
例えば、特許文献２）。
【先行技術文献】
【特許文献】
【０００４】
【特許文献１】特開２０１３−１３４２９５号公報
【特許文献２】特開２００５−１１２２５１号公報
【発明の概要】
【発明が解決しようとする課題】
【０００５】
曲面ディスプレイを用いて複雑な形状のインパネを作製する場合、複数の表示パネルを
組み合わせることで実現できる。複雑な形状において表示パネルを適用できれば、デザイ
ン性の向上に加えて、視認性の向上等が実現できる。しかしながら複数の表示パネルの形
状がそれぞれで異なる場合、形状の異なる表示パネルを用意する必要がある。形状の異な
る表示パネルを複数作成する場合、生産コストが増加してしまう。
【０００６】
本発明の一態様は、新規な表示システム、および当該表示システムを備えた移動体等を
提供することを課題の一とする。
【０００７】
または本発明の一態様は、形状の異なる複数の表示パネルを組み合わせて表示を行う場
合であっても生産コストの増加を抑制することができる、新規な表示システム、および当
該表示システムを備えた移動体等を提供することを課題の一とする。または本発明の一態
様は、視認性の向上を図ることができる、新規な表示システム、および当該表示システム
を備えた移動体等を提供することを課題の一とする。
【課題を解決するための手段】
【０００８】
本発明の一態様は、表示パネルと、補正回路と、記憶回路と、を有し、表示パネルは、
可撓性を有し、表示パネルは、表示領域および非表示領域を有し、記憶回路は、表示領域
に関する第１の情報および非表示領域に関する第２の情報を記憶する機能を有し、非表示
領域は、表示パネルを折り曲げることで表示領域と重なる領域を有し、補正回路は、第１
の情報および第２の情報に基づいて表示領域の画素に書き込むための画像データを生成す
る機能を有する表示システムである。
【０００９】
本発明の一態様は、第１の表示パネルと、第１の補正回路と、第１の記憶回路と、第２
の表示パネルと、第２の補正回路と、第２の記憶回路と、を有し、第１の表示パネルおよ
び第２の表示パネルは、可撓性を有し、第１の表示パネルは、第１の表示領域および第１
の非表示領域を有し、第２の表示パネルは、第２の表示領域および第２の非表示領域を有
し、第１の記憶回路は、第１の表示領域に関する第１の情報および第１の非表示領域に関
する第２の情報を記憶する機能を有し、第２の記憶回路は、第２の表示領域に関する第３
の情報および第２の非表示領域に関する第４の情報を記憶する機能を有し、第１の非表示
領域は、第１の表示パネルを折り曲げることで第１の表示領域と重なる領域を有し、第２
の非表示領域は、第２の表示パネルを折り曲げることで第２の表示領域と重なる領域を有
し、第１の補正回路は、第１の情報および第２の情報に基づいて第１の表示領域の画素に
書き込むための第１の画像データを生成する機能を有し、第２の補正回路は、第３の情報
および第４の情報に基づいて第２の表示領域の画素に書き込むための第２の画像データを
生成する機能を有する表示システムである。
【００１０】
本発明の一態様において、表示パネルは、トランジスタと、トランジスタと電気的に接
続される表示素子と、を有し、トランジスタは、チャネル形成領域に酸化物半導体を有す
る表示システムが好ましい。
【００１１】
本発明の一態様において、表示素子は、有機エレクトロルミネッセンス素子である表示
システムが好ましい。
【００１２】
本発明の一態様は、上述した表示システムを適用したインストルメントパネルを有する
移動体である。
【００１３】
なおその他の本発明の一態様については、以下で述べる「発明を実施するための形態」
、および「図面」に記載されている。
【発明の効果】
【００１４】
本発明の一態様は、新規な表示システム、および当該表示システムを備えた移動体等を
提供することができる。
【００１５】
または本発明の一態様は、形状の異なる複数の表示パネルを組み合わせて表示を行う場
合であっても生産コストの増加を抑制することができる、新規な表示システム、および当
該表示システムを備えた移動体等を提供することができる。または本発明の一態様は、視
認性の向上を図ることができる、新規な表示システム、および当該表示システムを備えた
移動体等を提供することができる。
【図面の簡単な説明】
【００１６】
【図１】移動体における表示パネルの構成を説明するための図。
【図２】移動体における表示パネルの構成を説明するための図。
【図３】表示システムを説明するためのブロック図およびフローチャート。
【図４】表示システムを説明するためのブロック図。
【図５】表示パネルで表示を行う画像データを説明するための図。
【図６】表示パネルの構成例を説明するための図。
【図７】記憶回路におけるメモリセルの構成例を説明するための図。
【図８】表示パネルにおける画素の構成例を説明するための図。
【図９】移動体における表示パネルの構成を説明するための図。
【図１０】移動体における表示パネルの構成を説明するための図。
【図１１】移動体における表示パネルの構成を説明するための図。
【図１２】移動体における撮像装置および表示パネルの構成を説明するための図。
【図１３】移動体の一例を説明する図。
【発明を実施するための形態】
【００１７】
以下、本発明の一態様について図面を参照しながら説明する。但し、本発明の一態様は
多くの異なる態様で実施することが可能であり、趣旨およびその範囲から逸脱することな
くその形態および詳細を様々に変更し得ることは当業者であれば容易に理解される。従っ
て、本発明は、以下の記載内容に限定して解釈されるものではない。
【００１８】
＜表示システムの構成＞
本発明の一態様である表示システムの構成例について説明する。表示システムは、湾曲
した表示面を有するディスプレイ（表示パネルともいう）に適用することができる。
【００１９】
湾曲した表示面の一例としては、例えば自動車等の移動体のインストルメントパネル（
以下、インパネという）がある。そこで以下の表示システムの例では、特に断りのない限
り、表示システムを自動車のインパネに適用する例について説明する。なお本発明の一態
様の表示システムは、自動車のインパネに限らず、表示面を有するディスプレイであれば
適用できる。なお自動車以外の移動体の例としては、バス、電車、飛行機等がある。
【００２０】
図１（Ａ）は、表示システムに適用可能な表示パネルが設けられた、移動体のインパネ
周辺を示す図である。移動体１０には、ダッシュボード１２に設けられた複数の表示パネ
ル１１Ａ乃至１１Ｄ、ハンドル１３、窓部１４、およびピラー１５が図示されている。
【００２１】
また図１（Ｂ）は、図１（Ａ）に示す表示パネル１１Ａ乃至１１Ｄに適用可能な表示パ
ネルの断面の模式図である。図１（Ｂ）では、ダッシュボード１２およびハンドル１３と
ともに、ダッシュボート１２の表面の湾曲した面に表示パネル２０（表示パネル１１Ａ乃
至１１Ｄの何れかに相当）が取り付けられた様子を図示している。表示パネル２０は、表
面の湾曲した面がある領域に表示領域２１を有し、それ以外の領域に非表示領域２２およ
びコントロールＩＣ３０を有する。
【００２２】
表示パネル２０のトランジスタおよび表示素子等は、可撓性を有する基材上に設けられ
る。そのため、表示パネル２０は可撓性を有する。つまり図１（Ｂ）に図示するように折
り曲げ部２３において折り曲げてダッシュボード１２に設けることができる。この折り曲
げ部２３を有することで表示パネル２０の非表示領域２２と表示領域２１とが重なる構成
とする。
【００２３】
コントロールＩＣ３０は、画像データを生成する機能を有する。コントロールＩＣ３０
は、記憶回路および補正回路等を有し、表示領域２１にある画素に書き込むための画像デ
ータを生成する。
【００２４】
コントロールＩＣ３０の記憶回路は、表示パネル２０における、表示領域となる画素の
位置の情報、および非表示領域となる画素の位置の情報を記憶する機能を有する。本発明
の一態様の表示システムは複数の表示パネルで構成され、複数の表示パネルのそれぞれに
おいて表示領域および非表示領域を異ならせる。そのため表示パネルのコントロールＩＣ
３０毎に、表示領域となる画素の位置の情報および非表示領域となる画素の位置の情報を
記憶できる記憶回路を設ける。
【００２５】
コントロールＩＣ３０の補正回路は、表示パネル２０における、表示領域となる画素に
書き込む画像データを生成する機能を有する回路である。つまりコントロールＩＣ３０の
補正回路は、非表示領域にある画素に画像データを与えず、表示領域にある画素にのみ画
像データを与えるように画像データを補正する。このようにすることで、表示に寄与する
画素のみで画像データを更新する構成とできるため、不必要な画像データの書き込みがな
くなる分の消費電力を削減することができる。
【００２６】
コントロールＩＣ３０の補正回路は、表示パネルのコントロールＩＣ３０毎に設ける構
成とする。当該構成とすることで本発明の一態様の表示システムは、表示パネル毎に異な
る表示領域となる画素の情報をもとに、表示領域にある画素に対する画像データを生成し
て出力することができる。
【００２７】
図２には、本発明の一態様である表示システムの具体例を示す。図２では、図１（Ａ）
で図示した移動体１０が有するダッシュボード１２に設けられた複数の表示パネル１１Ａ
乃至１１Ｄを示している。図２に図示する表示パネル１１Ａ乃至１１Ｄはそれぞれ異なる
形状の表示面を有する。例えば図２に図示する表示パネル１１Ｂと表示パネル１１Ｃとは
、異なる形状の表示面を有する。
【００２８】
図２の表示パネル１１Ａ乃至１１Ｄで構成される表示面のように複雑な形状の表示面を
形成する場合、形状の異なる複数の表示パネルを組み合わせて形成することとなるが、こ
のような構成に対して本発明の一態様である表示システムは有効である。本発明の一態様
である表示システムでは、表示領域が表示パネル毎に異なり、非表示領域が折り曲げられ
た表示パネルを有する。これらの表示パネルは、表示領域を異ならせ、且つ表示パネルを
非表示領域で折り曲げることで作製できるため、ベースとなる表示パネルを同じ表示パネ
ルで作製できる。そのため、量産効果が得られる。そのため、本発明の一態様の表示シス
テムに適用した表示パネルでは、製造コストの低減を図ることができる。
【００２９】
なお本発明の一態様である表示システムの表示パネルは、複数の異なる表示パネル間の
非表示領域同士を重ねる構成とすることも有効である。この場合、非表示領域とする画素
は、黒表示とすることで重なる領域を目立ちにくくすることができる。矩形状の表示パネ
ルは、４辺すべてを折り曲げる構成とすることが難しい。そのため非表示領域を黒表示と
して重ねる構成は、矩形状の表示パネルの２辺にある非表示領域を折り曲げ、残りの２辺
にある非表示領域を黒表示として重ねるといった構成の場合に有効である。
【００３０】
図２でいえば表示パネル１１Ｂと表示パネル１１Ｃは、同じ表示パネルをもとに作製す
ることができる。つまり図２に図示するように同じ画素部２４を有する表示パネル２０を
もとに作製することができる。表示パネル１１Ｂと表示パネル１１Ｃとなる表示パネル２
０では、表示領域２１Ｄおよび表示領域２１Ｅ、ならびに非表示領域２２Ｄおよび非表示
領域２２Ｅとなるように記憶回路に情報を記憶し、当該情報をもとに補正回路で異なる画
像データを出力する。表示面とはならない非表示領域２２Ｄおよび非表示領域２２Ｅは、
表示パネル２０を折り曲げて表示領域と重なる領域を有するように設けることで、表示パ
ネル２０を設置するスペースを省スペース化することができる。そして図２の表示パネル
１１Ａ乃至１１Ｄで構成される表示面のように複雑な形状の表示面を形成することができ
、デザイン性の向上を図ることができる表示システムとすることができる。
【００３１】
図３（Ａ）は、コントロールＩＣ３０の構成例を説明するためのブロック図である。図
３（Ａ）に示すコントロールＩＣ３０は、一例として、インターフェース３２、補正回路
３３、タイミングコントローラ３４、ディスプレイドライバＩＣ３５および記憶回路３６
を有する。また図３（Ａ）には、コントロールＩＣ３０に画像データを与えるホストコン
トローラ３１を図示している。また図３（Ａ）には、コントロールＩＣ３０が補正された
画像データを与える表示パネル１１を図示している。また図３（Ａ）には、記憶回路３６
が記憶する情報として表示領域データ３７を図示している。
【００３２】
コントロールＩＣ３０において、ホストコントローラ３１から与えられる補正前の画像
データは、インターフェース３２を介して補正回路３３に与えられる。補正回路３３では
、記憶回路３６に記憶される表示領域データ３７を参照して、補正前の画像データを表示
パネル１１の表示領域に対応した画像データに補正する。補正された画像データは、タイ
ミングコントローラ３４およびディスプレイドライバＩＣ３５を介して表示パネル１１に
与えられる。
【００３３】
図３（Ｂ）は、図３（Ａ）に示すコントローラＩＣ３０の動作を説明するためのフロー
チャートである。コントローラＩＣ３０には、画像データが入力される（ステップＳ０１
）。コントローラＩＣ３０の補正回路３３では、入力されインターフェース３２を介して
与えられた画像データを表示領域に応じた画像データに補正するため、記憶回路３６に記
憶された表示領域データ３７を読み出して取得する（ステップＳ０２）。補正回路３３は
、表示領域データ３７に基づいて元の画像データを演算処理し、表示領域での表示を行う
ための画像データに補正する（ステップＳ０３）。補正された画像データは、タイミング
コントローラ３４およびディスプレイドライバＩＣ３５を介して表示パネル１１に出力さ
れる（ステップＳ０４）。
【００３４】
なお補正回路３３で表示領域データ３７をもとに行う演算処理は、元の画像データを表
示領域の形状に合わせた画像データに加工する画像処理であればよい。例えば、非表示領
域の画素に与える画像データがブランクとなるように元の画像データを間引くよう画像処
理を施せばよい。なお、非表示領域の画素に与える画像データを黒に相当する画像データ
に変換することで、発光型の表示パネルの場合は消費電力を削減できる。あるいはもとの
画像データを縮小または拡大するように画像処理し、表示領域の大きさに合わせた画像デ
ータとする演算処理を施せばよい。
【００３５】
表示領域データとしては、表示パネル１１の各画素に対応したマスクデータとすること
ができる。具体的には、各画素の座標に対応して、表示領域の画素であれば“１”、非表
示領域の画素であれば“０”とするマスクデータとする。当該マスクデータと、画像処理
の対象となる画像データと、について、各画素の座標に対応するデータの論理積演算を行
うことで、非表示領域の画素に対応する画像データは“０”、すなわち、黒表示とするこ
とができる。一方、表示領域の画素に対応する画像データの値は変更されない。このよう
な構成とすることで、表示領域及び非表示領域の境界を自由に設定することができる。
【００３６】
その他の表示領域データとしては、表示領域を矩形領域とする場合、当該矩形領域の各
頂点の座標データと、当該頂点データを結ぶ直線より上、下、左、右の何れが非表示領域
となるかのデータ（非表示領域の判定データ）と、することができる。当該頂点の座標デ
ータ及び非表示領域の判定データから、画像データに対して当該矩形領域の内外を判定し
、非表示データを“０”、すなわち、黒表示とすることができる。このような構成とする
ことで、表示領域データとして格納しておくデータ量を削減することができる。
【００３７】
なお表示パネルを複数組み合わせる表示システムでは、図４に示すブロック図のように
すればよい。図４では、複数の表示パネルとして、表示パネル１１Ａおよび表示パネル１
１Ｂを図示している。また図４では、表示パネル１１Ａに画像データを供給するコントロ
ーラＩＣ３０Ａと、表示パネル１１Ｂに画像データを供給するコントローラＩＣ３０Ｂと
を、図示している。ホストコントローラ３１は、コントローラＩＣ３０Ａおよびコントロ
ーラＩＣ３０Ｂに別の画像データを供給することができる。
【００３８】
図４に示すコントロールＩＣ３０Ａは、一例として、インターフェース３２Ａ、補正回
路３３Ａ、タイミングコントローラ３４Ａ、ディスプレイドライバＩＣ３５Ａおよび記憶
回路３６Ａを有する。また図４には、記憶回路３６Ａが記憶する情報として表示領域デー
タ３７Ａを図示している。また図４に示すコントロールＩＣ３０Ｂは、一例として、イン
ターフェース３２Ｂ、補正回路３３Ｂ、タイミングコントローラ３４Ｂ、ディスプレイド
ライバＩＣ３５Ｂおよび記憶回路３６Ｂを有する。また図４には、記憶回路３６Ｂが記憶
する情報として表示領域データ３７Ｂを図示している。
【００３９】
図４に示す表示パネル１１Ａと表示パネル１１Ｂとで表示領域を異ならせる場合、記憶
回路３６Ａの表示領域データ３７Ａと憶録回路３６Ｂの表示領域データ３７Ｂとを異なら
せる構成とする。当該構成とすることで、表示パネル１１Ａと表示パネル１１Ｂとに異な
る形状の表示領域に応じた画像データを出力することができる。
【００４０】
なお湾曲した面に設けられる表示パネルの表示領域は、湾曲した状態で表示を行う構成
となる。例えば図５（Ａ）、（Ｂ）の模式図では、平坦な状態で表示する表示パネル２０
Ａを図示している。図５（Ａ）は上方からの模式図であり、図５（Ｂ）は斜め上方からの
模式図である。なお図５（Ａ）、（Ｂ）において、画素部２４、表示領域２１Ａ、非表示
領域２２Ａを図示している。
【００４１】
一方で図５（Ｃ）では、図５（Ｂ）に示す表示パネル２０Ａの表面を湾曲させた図に相
当する。図５（Ｃ）でもわかるように湾曲させた表面を有する表示パネルでは、湾曲させ
た表面の形状あるいはユーザの視点等に応じて見え方が異なる。
【００４２】
そのため表示パネルのコントローラＩＣでは、表示領域で表示する画像データを湾曲し
た表面の形状等に応じて異ならせてもよい。例えば、図５（Ｄ）、（Ｅ）の模式図に示す
ように、矩形状の表示領域とする場合であっても表示領域２１Ｂの境界が弧を描いた形状
となるようにする。なお図５（Ｄ）、（Ｅ）において、画素部２４、表示領域２１Ｂ、非
表示領域２２Ｂを図示している。
【００４３】
図５（Ｆ）は、図５（Ｅ）に示す表示パネル２０Ｂの表面を湾曲させた図に相当する。
図５（Ｄ）、（Ｅ）に図示するように表示領域２１Ｂのようにわずかに扇形にすることで
、湾曲させた際に表面の形状の見え方を歪みが少ないものにすることができる。あるいは
、ユーザの視点等に応じては立体的に見える場合もあり得る。
【００４４】
なお図５（Ａ）および図５（Ｄ）に示す表示パネル２０Ａ、２０Ｂの非表示領域２２Ａ
、２２Ｂは、画像の表示に寄与しない領域である。そのため、図１（Ｂ）でも図示したよ
うに非表示領域２２Ａ、２２Ｂを折り曲げることが好ましい。具体的な一例を図６（Ａ）
に図示する。図６（Ａ）に示す表示パネル２０Ｃでは、表示領域２１Ｃおよび非表示領域
２２Ｃを図示している。図６（Ａ）に示すように、表示領域２１Ｃと非表示領域２２Ｃの
境界付近で折り曲げることで、表示パネル２０Ｃは折り曲げ部２３Ｃを有する構成とする
ことができる。折り曲げ部２３Ｃを有する表示パネル２０Ｃは、表示領域２１Ｃと非表示
領域２２Ｃとが重なる領域を設けることができ、表示パネルの省スペース化を図ることが
できる。
【００４５】
なお本発明の一態様である表示システムに適用可能な表示パネルは、他の構成と適宜組
み合わせて設けることが可能である。一例として図６（Ｂ）では、表示パネル２０と偏光
板２５とを組み合わせた表示パネル２０Ｄを図示している。当該構成とすることで、ユー
ザが表示パネルを視認できる方向（角度）を限定することができ、ユーザに対して歪みの
少ない画像をより確実に視認させることができる。
【００４６】
＜記憶回路に適用可能なメモリセル＞
図７（Ａ）乃至（Ｆ）では、上述した記憶回路に適用可能なメモリセルの構成例につい
て説明する。
【００４７】
図７（Ａ）は、記憶回路の構成例を説明するためのブロック図である。図７（Ａ）に示
すブロック図では、メモリセルアレイ９０、ワード線駆動回路９１、およびビット線駆動
回路９２を図示している。
【００４８】
メモリセルアレイ９０は、ｍ行ｎ列（ｍ、ｎは自然数）のマトリクス状に設けられたメ
モリセルＭＣを有する。メモリセルＭＣは、ワード線ＷＬ＿１乃至ＷＬ＿ｍおよびビット
線ＢＬ＿１乃至ＢＬ＿ｎに接続される。メモリセルＭＣは、ビット線およびワード線の他
、電流を流すためのソース線、トランジスタのバックゲートに電圧を印加するための配線
、または容量素子の一方の電極を固定電位にするための容量線等に接続されていてもよい
。
【００４９】
ワード線駆動回路９１は、各行におけるメモリセルＭＣを選択するための信号を出力す
る回路である。ワード線ＷＬ＿１乃至ＷＬ＿ｍは、書き込み用と読み出し用とに別々のワ
ード線とがあってもよい。
【００５０】
ビット線駆動回路９２は、各列におけるメモリセルＭＣへのデータを書き込み、または
メモリセルＭＣからのデータの読み出しを行うための回路である。ビット線ＢＬ＿１乃至
ＢＬ＿ｎは、書き込み用と読み出し用とに別々のビット線とがあってもよい。
【００５１】
図７（Ｂ）乃至（Ｆ）には、図７（Ａ）で説明したメモリセルＭＣが取り得る回路構成
の一例を示す。
【００５２】
図７（Ｂ）に示すメモリセルＭＣ＿Ａは、トランジスタＯＳ１および容量素子９３を有
する。トランジスタＯＳ１は、半導体層に酸化物半導体を有するトランジスタ（ＯＳトラ
ンジスタ）である。ＯＳトランジスタは、半導体層にシリコンを有するトランジスタ（Ｓ
ｉトランジスタ）と比べて、非導通状態時のリーク電流（オフ電流）が極めて低いといっ
た特性を有する。そのため、トランジスタＯＳ１を非導通状態にすることで、電荷保持ノ
ードＳＮにデータに応じた電荷を保持することができる。そのため、電荷保持ノードＳＮ
に保持したデータのリフレッシュレートを小さくすることができる。
【００５３】
図７（Ｃ）に示すメモリセルＭＣ＿Ｂは、トランジスタＯＳ２および容量素子９３を有
する。トランジスタＯＳ２は、ＯＳトランジスタである。図７（Ｂ）のトランジスタＯＳ
１との違いは、ゲートとバックゲートとを電気的に接続し、双方よりワード線ＷＬの電圧
を印加する点にある。このような構成とすることで、トランジスタＯＳ２を導通状態とし
た際にソースとドレインとの間を流れる電流量を増加させることができる。
【００５４】
図７（Ｄ）に示すメモリセルＭＣ＿Ｃは、トランジスタＯＳ３および容量素子９３を有
する。トランジスタＯＳ３は、ＯＳトランジスタである。図７（Ｂ）のトランジスタＯＳ
１との違いは、バックゲートとバックゲート線ＢＧＬとを電気的に接続し、バックゲート
にゲートとは異なる電圧を印加する点にある。このような構成とすることで、トランジス
タＯＳ３の閾値電圧を制御してソースとドレインとの間を流れる電流量を制御することが
できる。
【００５５】
図７（Ｅ）に示すメモリセルＭＣ＿Ｄは、トランジスタＯＳ１、トランジスタＭ１およ
び容量素子９３を有する。トランジスタＯＳ１のソースまたはドレインの一方は書き込み
ビット線ＷＢＬに接続される。トランジスタＯＳ１のソースまたはドレインの他方はトラ
ンジスタＭ１のゲート、および容量素子９３の一方の電極に接続される。トランジスタＯ
Ｓ１のゲートは書き込みワード線ＷＷＬに接続される。容量素子９３の他方の電極は、読
み出しワード線ＲＷＬに接続される。トランジスタＭ１のソース又はドレインの一方は読
み出しビット線ＲＢＬに接続される。トランジスタＭ１のソース又はドレインの他方はソ
ース線ＳＬに接続される。トランジスタＭ１は、ｐチャネルトランジスタを図示したが、
ｎチャネル型トランジスタでもよい。トランジスタＯＳ１を非導通状態にすることで、電
荷保持ノードＳＮにデータに応じた電荷を保持することができる。トランジスタＭ１は、
チャネル形成領域にシリコンを有するトランジスタ（Ｓｉトランジスタ）である。なおト
ランジスタＯＳ１は、上述したトランジスタＯＳ２、ＯＳ３と同様の構成とすることがで
きる。
【００５６】
図７（Ｆ）に示すメモリセルＭＣ＿Ｅは、トランジスタＯＳ１、トランジスタＭ１、ト
ランジスタＭ２および容量素子９３を有する。トランジスタＯＳ１のソースまたはドレイ
ンの一方は書き込みビット線ＷＢＬに接続される。トランジスタＯＳ１のソースまたはド
レインの他方はトランジスタＭ１のゲート、および容量素子９３の一方の電極に接続され
る。トランジスタＯＳ１のゲートは書き込みワード線ＷＷＬに接続される。容量素子９３
の他方の電極は、容量線ＣＬに接続される。トランジスタＭ１のソース又はドレインの一
方はトランジスタＭ２のソースまたはドレインの一方に接続される。トランジスタＭ１の
ソース又はドレインの他方はソース線ＳＬに接続される。トランジスタＭ２のゲートは読
み出しワード線ＲＷＬに接続される。トランジスタＭ２のソース又はドレインの他方は読
み出しビット線ＲＢＬに接続される。トランジスタＭ２は、ｐチャネルトランジスタを図
示したが、ｎチャネル型トランジスタでもよい。トランジスタＯＳ１を非導通状態にする
ことで、電荷保持ノードＳＮにデータに応じた電荷を保持することができる。トランジス
タＭ２は、Ｓｉトランジスタである。なおトランジスタＯＳ１は、上述したトランジスタ
ＯＳ２、ＯＳ３と同様の構成とすることができる。
【００５７】
なお図７（Ｂ）乃至（Ｆ）に示すメモリセルの構成は、記憶回路に記憶するデータが増
加する場合に特に有効である。記憶回路のメモリセルをＳＲＡＭ（Ｓｔａｔｉｃ  ＲＡＭ
）で構成する場合と比べて、メモリセルを１乃至３つとする構成は、回路面積の増加を抑
制できる。特に図７（Ｂ）乃至（Ｄ）に示すメモリセルの構成は回路面積の増加の抑制に
有効である。
【００５８】
またＯＳトランジスタは、動作温度が上昇した際のトランジスタ特性の変動がＳｉトラ
ンジスタに比べて小さい。そのため、自動車等の車載仕様に耐えうる温度範囲での動作を
、より確実におこなうことができる記憶回路とすることができる。
【００５９】
なお図７（Ｂ）乃至（Ｆ）に示す回路構成はあくまで一例であり、本発明の一態様を実
現可能であれば任意の構成とすることができる。
【００６０】
＜表示パネルの画素の構成例＞
本項目では、上記表示システムに適用可能な表示パネルの画素の構成例について説明す
る。
【００６１】
図８（Ａ）は、表示パネルの構成例を説明するブロック図である。
【００６２】
図８（Ａ）に示す表示パネル５００は、駆動回路５４１、駆動回路５４２Ａ、駆動回路
５４２Ｂ、および画素部５４３を有する。なお、駆動回路５４１、駆動回路５４２Ａ、お
よび駆動回路５４２Ｂをまとめて「駆動回路」または「周辺駆動回路」という場合がある
。
【００６３】
駆動回路５４２Ａ、駆動回路５４２Ｂは、例えば走査線駆動回路として機能できる。ま
た、駆動回路５４１は、例えば信号線駆動回路として機能できる。なお、駆動回路５４２
Ａ、および駆動回路５４２Ｂは、どちらか一方のみとしてもよい。また、画素部５４３を
挟んで駆動回路５４１と向き合う位置に、何らかの回路を設けてもよい。
【００６４】
また、図８（Ａ）に例示する表示パネル５００は、各々が略平行に配設され、且つ、駆
動回路５４２Ａ、および／または駆動回路５４２Ｂによって電位が制御されるｐ本（ｐは
１以上の自然数。）の配線５４４と、各々が略平行に配設され、且つ、駆動回路５４１に
よって電位が制御されるｑ本（ｑは１以上の自然数。）の配線５４５と、を有する。さら
に、画素部５４３はマトリクス状に配設された複数の画素５４６を有する。画素５４６は
、画素回路および表示素子を有する。
【００６５】
また、３つの画素５４６を１つの画素として機能させることで、フルカラー表示を実現
することができる。３つの画素５４６は、それぞれが赤色光、緑色光、または青色光の、
透過率、反射率、または発光光量などを制御する。なお、３つの画素５４６で制御する光
の色は赤、緑、青の組み合わせに限らず、黄、シアン、マゼンタであってもよい。
【００６６】
また、赤色光、緑色光、青色光を制御する画素に、白色光を制御する画素５４６を加え
て、４つの画素５４６をまとめて１つの画素として機能させてもよい。白色光を制御する
画素５４６を加えることで、表示領域の輝度を高めることができる。また、１つの画素と
して機能させる画素５４６を増やし、赤、緑、青、黄、シアン、およびマゼンタを適宜組
み合わせて用いることにより、再現可能な色域を広げることができる。
【００６７】
ｇ行目の配線５４４＿ｇ（ｇは１以上ｐ以下の自然数。）は、画素部５４３においてｐ
行ｑ列に配設された複数の画素５４６のうち、ｇ行に配設されたｑ個の画素５４６と電気
的に接続される。また、ｈ列目の配線５４５＿ｈ（ｈは１以上ｑ以下の自然数。）は、ｐ
行ｑ列に配設された画素５４６のうち、ｈ列に配設されたｐ個の画素５４６に電気的に接
続される。
【００６８】
表示パネル５００は、様々な形態を用いること、または様々な表示素子を有することが
出来る。表示素子の一例としては、ＥＬ（エレクトロルミネッセンス）素子（有機ＥＬ素
子、無機ＥＬ素子、または、有機物及び無機物を含むＥＬ素子）など、電気的作用により
、輝度などが変化する表示媒体を有するものがある。
【００６９】
図８（Ｂ）に示す画素５４６Ａは、トランジスタ４６１と、容量素子４６３と、トラン
ジスタ４６８と、トランジスタ４６４と、表示素子として機能できる発光素子４２６と、
を有する。
【００７０】
トランジスタ４６１のソース電極およびドレイン電極の一方は、配線５４５＿ｈに電気
的に接続される。さらに、トランジスタ４６１のゲート電極は、配線５４４＿ｇに電気的
に接続される。配線５４５＿ｈからはビデオ信号が供給される。
【００７１】
トランジスタ４６１は、ビデオ信号のノード４６５への書き込みを制御する機能を有す
る。
【００７２】
容量素子４６３の一対の電極の一方は、ノード４６５に電気的に接続され、他方は、ノ
ード４６７に電気的に接続される。また、トランジスタ４６１のソース電極およびドレイ
ン電極の他方は、ノード４６５に電気的に接続される。
【００７３】
容量素子４６３は、ノード４６５に書き込まれたデータを保持する保持容量としての機
能を有する。
【００７４】
トランジスタ４６８のソース電極およびドレイン電極の一方は、電位供給線ＶＬ＿ａに
電気的に接続され、他方はノード４６７に電気的に接続される。さらに、トランジスタ４
６８のゲート電極は、ノード４６５に電気的に接続される。
【００７５】
トランジスタ４６４のソース電極およびドレイン電極の一方は、配線Ｖ０に電気的に接
続され、他方はノード４６７に電気的に接続される。さらに、トランジスタ４６４のゲー
ト電極は、配線５４４＿ｇに電気的に接続される。
【００７６】
発光素子４２６のアノードまたはカソードの一方は、電位供給線ＶＬ＿ｂに電気的に接
続され、他方は、ノード４６７に電気的に接続される。
【００７７】
発光素子４２６としては、例えば有機エレクトロルミネセンス素子（有機ＥＬ素子とも
いう）などを用いることができる。ただし、発光素子４２６としては、これに限定されず
、例えば無機材料からなる無機ＥＬ素子を用いても良い。
【００７８】
例えば、電位供給線ＶＬ＿ａまたは電位供給線ＶＬ＿ｂの一方には、高電源電位ＶＤＤ
が与えられ、他方には、低電源電位ＶＳＳが与えられる。
【００７９】
図８（Ｂ）の画素５４６Ａを有する表示パネル５００では、駆動回路５４２Ａ、および
／または駆動回路５４２Ｂにより各行の画素５４６を順次選択し、トランジスタ４６１、
をオン状態にしてビデオ信号をノード４６５に書き込む。
【００８０】
ノード４６５にデータが書き込まれた画素５４６Ａは、トランジスタ４６１、およびト
ランジスタ４６４がオフ状態になることで保持状態になる。さらに、ノード４６５に書き
込まれたデータの電位に応じてトランジスタ４６８のソース電極とドレイン電極の間に流
れる電流量が制御され、発光素子４２６は、流れる電流量に応じた輝度で発光する。これ
を行毎に順次行うことにより、画像を表示できる。
【００８１】
また、トランジスタ４６１、トランジスタ４６４、およびトランジスタ４６８として、
バックゲートを有するトランジスタを用いてもよい。この場合、トランジスタ４６１、ト
ランジスタ４６４、およびトランジスタ４６８のゲートは、バックゲートと電気的に接続
されていてもよい。
【００８２】
なお上述したトランジスタ４６１、トランジスタ４６４、およびトランジスタ４６８と
しては、ＯＳトランジスタとすることが好ましい。ＯＳトランジスタは、上述したように
オフ電流が極めて低い。そのため、ノード４６５に一旦書き込んだデータの電位を保持し
続けることが可能である。そのため、同じ画像を表示する場合にデータの書き込み頻度で
あるリフレッシュレートを小さくして消費電力を低減することができる。
【００８３】
加えてＯＳトランジスタは、トランジスタのチャネル形成領域に低温ポリシリコン（Ｌ
ＴＰＳ（Ｌｏｗ  Ｔｅｍｐｅｒａｔｕｒｅ  Ｐｏｌｙ−Ｓｉｌｉｃｏｎ））を用いる場合
と比べて、低温で作製することができる。そのため、トランジスタを形成する基材の耐熱
温度を小さくすることができ、材料の選択の幅を広げることができる。中でも基材となる
ポリイミド等の樹脂層として数μｍと薄い基材を選択できるため、表示パネルの軽量化お
よび薄型化を実現できる。加えて、折り曲げが容易な表示パネルとすることができる。
【００８４】
また発光素子４２６である有機ＥＬ素子は、液晶素子と比べて低温での応答速度が良好
である。表示パネルを自動車に適用する場合、表示パネルを使用する環境温度の範囲は広
い。このような場合であっても、有機ＥＬ素子を発光素子に適用した表示パネルは表示品
位の低下を抑制することができる。
【００８５】
加えて有機ＥＬ素子を発光素子に適用した表示パネルは、液晶素子に比べて視点の位置
の違いによる輝度の変化が小さい。つまり、視野角依存性が小さい。そのため、表示パネ
ルを自動車に適用する場合にメーター等の情報を表示する際、ボケのない正常な表示を行
うことができる。
【００８６】
＜表示システムの移動体への適用例＞
上述した表示システムに適用可能な表示パネルは、取り付ける面の形状に応じて適用す
ることができる。以下、移動体である自動車の運転席周辺に適用する場合の例について説
明する。
【００８７】
例えば図９は、自動車の室内におけるフロントガラス周辺を表す図である。図９では、
ダッシュボードに取り付けられた表示パネル５１Ａ乃至５１Ｃの他、ピラーに取り付けら
れた表示パネル５１Ｄを図示している。
【００８８】
表示パネル５１Ａ乃至５１Ｃは、ナビゲーション情報、スピードメーターやタコメータ
ー、走行距離、給油量、ギア状態、エアコンの設定など、その他様々な情報を提供するこ
とができる。また、表示パネルに表示される表示項目やレイアウトなどは、ユーザの好み
に合わせて適宜変更することができ、デザイン性を高めることが可能である。表示パネル
５１Ａ乃至５１Ｃは、照明装置として用いることも可能である。
【００８９】
表示パネル５１Ｄには、車体に設けられた撮像手段からの画像を映し出すことによって
、ピラーで遮られた視界（死角）を補完することができる。すなわち、自動車の外側に設
けられた撮像手段からの画像を表示することによって、死角を補い、安全性を高めること
ができる。また、見えない部分を補完する画像を映すことによって、より自然に違和感な
く安全確認を行うことができる。表示パネル５１Ｄは、照明装置として用いることも可能
である。
【００９０】
また図１０は、運転席と助手席にベンチシートを採用した自動車の室内を示している。
図１０では、ドア部に設けられた表示パネル５２Ａ、ハンドルに設けられた表示パネル５
２Ｂ、ベンチシートの座面の中央部に設けられた表示パネル５２Ｃを図示している。
【００９１】
表示パネル５２Ａには、例えば、車体に設けられた撮像手段からの画像を表示部に映し
出すことによって、ドアで遮られた視界を補完することができる。
【００９２】
表示パネル５２Ｂおよび５２Ｃは、ナビゲーション情報、スピードメーターやタコメー
ター等のメーター、走行距離、給油量、ギア状態、エアコンの設定など、その他様々な情
報を提供することができる。また、表示パネルに表示される表示項目やレイアウトなどは
、ユーザの好みに合わせて適宜変更することができる。表示パネル５２Ｂおよび５２Ｃは
、照明装置として用いることも可能である。
【００９３】
図９、図１０に示すように自動車の室内のあらゆる場所に表示パネルを配置し、表示パ
ネルを照明装置として用いる場合、車外への緊急信号を伝える手段とすることも有効であ
る。例えば、ユーザ（運転者）の健康状態をセンサー等で検出した場合、表示パネルの輝
度を最大として点滅させる。本発明の一態様の表示システムにおける表示パネルは車内の
あらゆる場所に設けることができるため、文字情報やハザードランプと比べて、周辺に情
報を効果的に伝えることができる。
【００９４】
上述した表示パネルのように本発明の一態様の表示システムは、湾曲した面に取り付け
ることが可能である。例えば、上述した表示パネル５１Ａ乃至５１Ｄおよび表示パネル５
２Ａ乃至５２Ｃのように、自動車の室内のあらゆる場所に取り付けることが可能である。
つまり図１１（Ａ）に示すダッシュボード１２やピラー１５のように、湾曲した面であっ
ても取り付けることが可能である。そのため、図１１（Ｂ）に図示するように窓部６１以
外の車体の内部の表面に表示パネル６０を設ける構成とすることも可能である。当該構成
とすることで、窓部６１以外の自動車の外側の画像を表示できるため、死角を補い、安全
性を高めることができる。
【００９５】
図１１（Ｂ）のように、窓部６１以外の車体の内部の表面に表示パネルを設ける構成と
する場合、図１２（Ａ）に図示するように車体の外側に複数の撮像装置７１Ｌ乃至７３Ｌ
、７１Ｒ乃至７３Ｒを設ける構成とする。なお撮像装置は２以上並べて取り付けることで
、対象物との距離に関する情報も得られるため好ましい。
【００９６】
図１１（Ｂ）および図１２（Ａ）の構成とすることで、図１２（Ｂ）に図示するように
窓部６１以外の自動車の外側の画像を表示できる。そのため、ユーザの死角を補い、安全
性を高められた移動体とすることができる。
【００９７】
また窓部６１以外の車体の内部の表面に表示パネル６０を設ける構成では、色々な場所
に表示パネルを配置することで、メーターなどの表示位置を変更可能とすることができる
。この場合、表示位置を自由に切り替えることができるため、直射日光によって見えづら
くなる場合の対策になる。
【００９８】
＜移動体の例＞
移動体の例について説明する。
【００９９】
本発明の一態様に係る表示システムは、表示パネルを設けることができる表面を有して
いる移動体に用いることができる。これら移動体の具体例を図１３（Ａ）乃至（Ｄ）に示
す。
【０１００】
図１３（Ａ）は自動車３０１である。自動車３０１は、窓部３１１を有する。本発明の
一態様に係る移動体は、窓部３１１を有する自動車３０１に用いることができる。表示シ
ステムに適用した表示パネルは、自動車３０１内の表面に設けることが可能である。当該
構成とすることで、自動車３０１内の表示パネルに自動車３０１の外の画像を表示させる
ことができる。そのため、窓部３１１以外での死角が低減された自動車３０１とすること
ができる。
【０１０１】
図１３（Ｂ）はバス３０２である。バス３０２は、窓部３１１を有する。本発明の一態
様に係る移動体は、窓部３１１を有するバス３０２に用いることができる。表示システム
を適用した表示パネルは、バス３０２内の表面に設けることが可能である。当該構成とす
ることで、バス３０２内の表示パネルにバス３０２の外の画像を表示させることができる
。そのため、窓部３１１以外での死角が低減されたバス３０２とすることができる。
【０１０２】
図１３（Ｃ）は電車３０３である。電車３０３は、窓部３１１を有する。本発明の一態
様に係る移動体は、窓部３１１を有する電車３０３に用いることができる。表示システム
を適用した表示パネルは、電車３０３内の表面に設けることが可能である。当該構成とす
ることで、電車３０３内の表示パネルに電車３０３の外の画像を表示させることができる
。そのため、窓部３１１以外での死角が低減された電車３０３とすることができる。
【０１０３】
図１３（Ｄ）は飛行機３０４である。飛行機３０４は、窓部３１１を有する。本発明の
一態様に係る移動体は、窓部３１１を有する飛行機３０４に用いることができる。表示シ
ステムを適用した表示パネルは、飛行機３０４内の表面に設けることが可能である。当該
構成とすることで、飛行機３０４内の表示パネルに飛行機３０４の外の画像を表示させる
ことができる。そのため、窓部３１１以外での死角が低減された飛行機３０４とすること
ができる。
【０１０４】
＜本明細書等の記載に関する付記＞
本明細書等において、「第１」、「第２」、「第３」という序数詞は、構成要素の混同
を避けるために付したものである。従って、構成要素の数を限定するものではない。また
、構成要素の順序を限定するものではない。
【０１０５】
本明細書等において、ブロック図では、構成要素を機能毎に分類し、互いに独立したブ
ロックとして示している。しかしながら実際の回路等においては、構成要素を機能毎に切
り分けることが難しく、一つの回路に複数の機能が係わる場合や、複数の回路にわたって
一つの機能が関わる場合があり得る。そのため、ブロック図のブロックは、明細書で説明
した構成要素に限定されず、状況に応じて適切に言い換えることができる。
【０１０６】
なお図面において、同一の要素または同様な機能を有する要素、同一の材質の要素、あ
るいは同時に形成される要素等には同一の符号を付す場合があり、その繰り返しの説明は
省略する場合がある。
【０１０７】
本明細書等において、トランジスタの接続関係を説明する際、ソースとドレインとの一
方を、「ソース又はドレインの一方」（又は第１電極、又は第１端子）と表記し、ソース
とドレインとの他方を「ソース又はドレインの他方」（又は第２電極、又は第２端子）と
表記している。これは、トランジスタのソースとドレインは、トランジスタの構造又は動
作条件等によって変わるためである。なおトランジスタのソースとドレインの呼称につい
ては、ソース（ドレイン）端子や、ソース（ドレイン）電極等、状況に応じて適切に言い
換えることができる。
【０１０８】
また、本明細書等において、電圧と電位は、適宜言い換えることができる。電圧は、基
準となる電位からの電位差のことであり、例えば基準となる電位をグラウンド電位（接地
電位）とすると、電圧を電位に言い換えることができる。グラウンド電位は必ずしも０Ｖ
を意味するとは限らない。なお電位は相対的なものであり、基準となる電位によっては、
配線等に与える電位を変化させる場合がある。
【０１０９】
本明細書等において、スイッチとは、導通状態（オン状態）、または、非導通状態（オ
フ状態）になり、電流を流すか流さないかを制御する機能を有するものをいう。または、
スイッチとは、電流を流す経路を選択して切り替える機能を有するものをいう。
【０１１０】
一例としては、電気的スイッチ又は機械的なスイッチなどを用いることができる。つま
り、スイッチは、電流を制御できるものであればよく、特定のものに限定されない。
【０１１１】
なお、スイッチとしてトランジスタを用いる場合、トランジスタの「導通状態」とは、
トランジスタのソースとドレインが電気的に短絡されているとみなせる状態をいう。また
、トランジスタの「非導通状態」とは、トランジスタのソースとドレインが電気的に遮断
されているとみなせる状態をいう。なおトランジスタを単なるスイッチとして動作させる
場合には、トランジスタの極性（導電型）は特に限定されない。
【０１１２】
本明細書等において、ＡとＢとが接続されている、とは、ＡとＢとが直接接続されてい
るものの他、電気的に接続されているものを含むものとする。ここで、ＡとＢとが電気的
に接続されているとは、ＡとＢとの間で、何らかの電気的作用を有する対象物が存在する
とき、ＡとＢとの電気信号の授受を可能とするものをいう。
【符号の説明】
【０１１３】
１０    移動体
１１Ａ    表示パネル
１１Ｂ    表示パネル
１１Ｃ    表示パネル
１１Ｄ    表示パネル
１２    ダッシュボード
１３    ハンドル
１４    窓部
１５    ピラー
２１    表示領域
２２    非表示領域
２３    折り曲げ部
２４    画素部
２０Ａ    表示パネル
２０Ｂ    表示パネル
２１Ａ    表示領域
２２Ａ    非表示領域
２１Ｂ    表示領域
２２Ｂ    非表示領域
２０Ｃ    表示パネル
２１Ｃ    表示領域
２２Ｃ    非表示領域
２３Ｃ    折り曲げ部
２０Ｄ    表示パネル
２０    表示パネル
２５    偏光板
２１Ｄ    表示領域
２２Ｄ    非表示領域
２１Ｅ    表示領域
２２Ｅ    非表示領域
１１  表示パネル
３０    コントローラＩＣ
３１    ホストコントローラ
３２    インターフェース
３３    補正回路
３４    タイミングコントローラ
３５    ディスプレイドライバＩＣ
３６    記憶回路
３７    表示領域データ
Ｓ０１    ステップ
Ｓ０２    ステップ
Ｓ０３    ステップ
Ｓ０４    ステップ
３０Ａ    コントローラＩＣ
３２Ａ    インターフェース
３３Ａ    補正回路
３４Ａ    タイミングコントローラ
３５Ａ    ディスプレイドライバＩＣ
３６Ａ    記憶回路
３７Ａ    表示領域データ
３０Ｂ    コントローラＩＣ
３２Ｂ    インターフェース
３３Ｂ    補正回路
３４Ｂ    タイミングコントローラ
３５Ｂ    ディスプレイドライバＩＣ
３６Ｂ    記憶回路
３７Ｂ    表示領域データ
９０    メモリセルアレイ
９１    ワード線駆動回路
９２    ビット線駆動回路
９３    容量素子
ＯＳ１    トランジスタ
ＯＳ２    トランジスタ
ＯＳ３    トランジスタ
Ｍ１    トランジスタ
Ｍ２    トランジスタ
ＭＣ＿Ａ    メモリセル
ＭＣ＿Ｂ    メモリセル
ＭＣ＿Ｃ    メモリセル
ＭＣ＿Ｄ    メモリセル
ＭＣ＿Ｅ    メモリセル
５００    表示パネル
５４１    駆動回路
５４２Ａ    駆動回路
５４２Ｂ    駆動回路
５４３    画素部
５４４    配線
５４５    配線
５４６    画素
５４６Ａ    画素
４６１    トランジスタ
４６３    容量素子
４６８    トランジスタ
４６４    トランジスタ
４２６    発光素子
５４５＿ｈ    配線
５４４＿ｇ    配線
５１Ａ    表示パネル
５１Ｂ    表示パネル
５１Ｃ    表示パネル
５１Ｄ    表示パネル
５２Ａ    表示パネル
５２Ｂ    表示パネル
５２Ｃ    表示パネル
６０    表示パネル
６１    窓部
７１Ｌ    撮像装置
７２Ｌ    撮像装置
７３Ｌ    撮像装置
７１Ｒ    撮像装置
７２Ｒ    撮像装置
７３Ｒ    撮像装置
３０１    自動車
３０２    バス
３０３    電車
３０４    飛行機
３１１    窓部
【図１】
2022001940.tif 000003
【図２】
2022001940.tif 000004
【図３】
2022001940.tif 000005
【図４】
2022001940.tif 000006
【図５】
2022001940.tif 000007
【図６】
2022001940.tif 000008
【図７】
2022001940.tif 000009
【図８】
2022001940.tif 000010
【図９】
2022001940.tif 000011
【図１０】
2022001940.tif 000012
【図１１】
2022001940.tif 000013
【図１２】
2022001940.tif 000014
【図１３】
2022001940.tif 000015